【事件の表示】
　特願２００３−２８５４９９「取付具および取付方法」拒絶査定不服審判事件〔平成１７年　３月　３日出願公開、特開２００５−　５４４２４〕について、次のとおり審決する。
【結　論】
　本件審判の請求は、成り立たない。
【理　由】
１.手続きの経緯，本願発明
　本願は，平成１５年８月４日にされた出願であって，平成２１年７月１５日付けで拒絶査定がなされ，これに対し，同年８月２０日に審判請求がなされたものである。
　本願の請求項１〜８に係る発明は，平成２１年３月１８日付けの手続補正により補正された特許請求の範囲の請求項１〜８に記載された事項により特定されるものであり，そのうち，請求項１は以下の通りである。（以下，「本願発明」という。）
　
　「【請求項１】
　支持材へ取り付けられた状態ではそれぞれ前記支持材に対し大略垂直方向をなすこととなる互いに反対向きの２つの係合面を備えた挿入部を有する被取付物を前記支持材に取り付けるための取付具であって，
　前記支持材に取り付けられる取付具本体部と，この取付具本体部から立ち上げられた１対の弾性を有する挟み片と，前記各挟み片にそれぞれ設けられており，前記各挟み片が自由な状態では，前記２つの係合面間の距離より狭い距離で互いに対向される仮止め部と，少なくとも一方の前記挟み片のうちの前記仮止め部より前記支持材側となる部分に設けられており，前記支持材から遠い側となる側から前記支持材に近い側となる側かつ他方の前記挟み片側へ斜め方向に突出する弾性を有する係合片とを有し，
　前記支持材に前記取付具本体部が取り付けられた後，前記被取付物の前記挿入部が前記取付具の前記挟み片の前記仮止め部間まで挿入されると，前記係合面に前記仮止め部が押圧されて前記仮止め部間に前記挿入部が弾性的に挾持されている状態となり，さらに前記挿入部が前記支持材側に向かって所定以上深く押し込まれると，前記係合片が前記挿入部に押されて弾性変形し，前記係合片の先端部が前記係合面に押圧されるようになっている取付具。」
　
２．刊行物に記載された発明
　刊行物１：特開２００２−３８６９４号公報
　刊行物２：特開２００１−３３６２６８号公報
　
（１）刊行物１
　原査定の拒絶の理由に引用され，本願出願日前に頒布された刊行物である，上記刊行物１には，以下の記載がある。
　
　(1a)「【請求項２】  パネル状材を支持材に取り付けるためのパネル状材の取付具において，
前記支持材に取り付けられる取付具本体部と，比較的に弾性に富む金属板を加工してなる弾性係合部と，この弾性係合部に設けられた大略パネル状材の厚さ方向に立ち上がる立ち上がり部と，この立ち上がり部の一部を，前記支持材から遠い側が切り残されるようにして切り起こしてなる弾性を有する係合片とを有し，前記係合片は切り起こし方向に凹となるように湾曲されており，前記パネル状材が前記支持材側に押し込まれると，前記係合片が前記パネル状材に押されて弾性変形し，前記係合片の先端部が前記パネル状材の大略厚さ方向に広がる所定の面に押圧されることを特徴とするパネル状材の取付具。」
　(1b)「【００１５】
【実施例】図１〜１１は本発明の第一実施例を示し，このうち図１〜９は本実施例における取付具１，図１０および１１は本実施例におけるパネル状材２の取付構造を示している。なお，本実施例におけるパネル状材２は，例えば一戸建ての家屋の外壁部において１階と２階との間や２階と３階との間の境界部等に設けられる幕板である。
【００１６】取付具１は，それぞれ元々は別々の部材からなる取付具本体部３と弾性係合部４とをスポット溶接により互いに結合してなる。前記取付具本体部３は，比較的に厚いステンレス鋼板または鋼板等の比較的に強度が大きい金属板をプレス加工により成形してなり，・・・。図２および９等に示されるように，前記取付具本体部３の平面状部５の上下方向中間部には，２個の位置決め突起７が設けられている。
【００１７前記弾性係合部４は，比較的に薄いバネ性に富んだステンレス鋼板またはバネ鋼板等の比較的に弾性変形し易い金属板をプレス加工により成形してなり，基部８，上側立ち上がり部９，上側湾曲部１０，下側立ち上がり部１１および下側湾曲部１２を一体的に有している・・・。前記基部８は細長い矩形状かつ平面状をなしており，この基部８には２個の位置決め穴１３が設けられている。図２および９等に示されるように，前記弾性係合部４は，位置決め穴１３に位置決め突起７を嵌合されるとともに取付具本体部３の平面状部５の表側に当接された状態で，取付具本体部３に適当点数スポット溶接されている（スポット溶接部は図示していない）。これにより，弾性係合部４は取付具本体部３に，該取付具本体部３の幅方向（横方向）に延びる状態で固定されている。」
　(1c)【００１９】前記上側立ち上がり部９は基部８の上端から表側へ直角方向に立ち上げられている。前記上側湾曲部１０は上側立ち上がり部９の先端から上方に湾曲されている。前記下側立ち上がり部１１は基部８の下端から表側へ直角方向に立ち上げられている。したがって，基部８，上側立ち上がり部９および下側立ち上がり部１１は，横断面コの字状をなしている。前記下側湾曲部１２は下側立ち上がり部１１の先端から下方に湾曲されている。
【００２０】前記上側立ち上がり部９には，該上側立ち上がり部９の一部を，該上側立ち上がり部９の先端側が切り残されるようにして下方に切り起こしてなる係合片１４が１個形成されている。前記係合片１４は切り起こし方向に凹となるように大略円弧状に湾曲されている。前記下側立ち上がり部１１には，該下側立ち上がり部１１の一部を，該下側立ち上がり部１１の先端側が切り残されるようにして上方に切り起こしてなる係合片１５と，該下側立ち上がり部１１の一部を，該下側立ち上がり部１１の先端側が切り残されるようにして下方に切り起こしてなる係合片１６とが１個ずつ形成されている。前記係合片１５，１６もそれぞれ切り起こし方向に凹となるように大略円弧状に湾曲されている。
【００２１】前記取付具本体部３の平面状部５のうちのパネル状材受け部６と弾性係合部４との間の部分には，釘やねじを挿通するための取付穴１７が適当数設けられている。・・・」
　(1d)「【００２４】本実施例では，まず取付穴１７を通して下地材等の支持材２３に釘２４を打ち込んだり，ねじをねじこむことにより，取付具１を，平面状部５の裏面が支持材２３に接するようにして，支持材２３の所定の位置に取り付ける。
【００２５】次に，パネル状材２の溝部２０，２１，２２にパネル状材受け部６，上側立ち上がり部９，下側立ち上がり部１１がそれぞれ侵入するようにして，パネル状材２を支持材２３側に押し込んで行く。すると，パネル状材受け部６の爪状部６ｂが溝部２０の上方陥入部２０ａの壁面に当接し，パネル状材２の重量をしっかり支えるようになる。また，これとともに，係合片１４，１５，１６がパネル状材２に押されて弾性変形し，係合片１４，１５，１６の先端部が溝部２１，２２の側壁面２１ａ，２２ａ，２２ｂをそれぞれ押圧する。なお，これらの側壁面２１ａ，２２ａ，２２ｂは大略パネル状材２の厚さ方向に広がっている。ここにおいて，係合片１４，１５，１６は支持材２３から遠い側が切り残されるようにして切り起こされることにより，支持材２３から遠い側から近い側へ突出しており，かつ切り起こし方向に凹となるように湾曲されている（言い換えれば，溝部２１，２２の側壁面２１ａ，２２ａ，２２ｂに対して凹となるように湾曲されている）ので，パネル状材２が支持材２３から離れる方向（図１０および１１における左方向）に移動されようとすると，係合片１４，１５，１６の先端部が溝部２１，２２の側壁面２１ａ，２２ａ，２２ｂに一層食い込もうとするので，パネル状材２は支持材２３から離れる方向に移動できない。したがって，パネル状材２が取付具１を介して支持材２３に確実に強固に取り付けられる。」
　(1e)【図１１】には，パネル状材２の溝部２１，２２の側壁面２１ａ，２２ａは，パネル状材２が支持材２３に取り付けられた状態において，支持材２３に対し大略垂直方向をなし，それぞれ，上方，下方をむいていること，及び，側壁面２１ａ，２２ａを両側面とする突起状の部分が弾性係合部４の上側立ち上がり部９と下側立ち上がり部１１の間に配置されることが示されている。
　(1f)【図９】には，記載事項(1b)を参酌すると，取付具本体部３に弾性係合部４の基部８が取り付けられ，基部８と一体となった取付具本体部３から上側立ち上がり部９と下側立ち上がり部１１とが立ち上げられることが示されている。
　
　上記記載事項(1a)〜(1f)及び図面の記載からみて，刊行物１には，以下の発明が記載されているものと認められる。
　
　「支持材２３に取り付けられた状態ではそれぞれ前記支持体２３に対し大略垂直方向をなす，それぞれ上方及び下方を向いた２つの側壁面２１ａ，２２ａを両側面とする突起状の部分を有するパネル状材２を前記支持材２３に取り付けるための取付具１であって，
　前記支持材２３に取り付けられる取付具本体部３と，この取付具本体部３から立ち上げられた上側立ち上がり部９及び下側立ち上がり部１１と，上側立ち上がり部９の一部を，該上側立ち上がり部９の先端側が切り残されるようにして下方に切り起こしてなる係合片１４と，該下側立ち上がり部１１の一部を，該下側立ち上がり部１１の先端側が切り残されるようにして上方に切り起こしてなる係合片１５とを有し，
　まず，支持材２３に取付具本体部３を取り付け，次にパネル状材２を支持材２３側に押し込んで行くと，係合片１４，１５がパネル状材２に押されて弾性変形し，係合片１４，１５の先端部が側壁面２１ａ，２２ａ，２２ｂをそれぞれ押圧する，取付具１。」（以下，「刊行物１記載の発明」という。）
　
（２）刊行物２
　同じく上記刊行物２には，以下の記載がある。
　(2a)「【請求項１】  裏面側に，表面側から裏面側に行くに従って相互に漸近するように傾斜した対向する一対の係合面が設けられた化粧材を，下地面に取り付けるために使用される化粧材取付具であって，
弾性を有する材料からなり，且つ上記下地面に固定される基板部と，各々，該基板部から立ち上がる一対の支持部と該各支持部の先端から相互に遠ざかるよう折り返されて基板部側斜め外方に延びる一対の脚部と該各脚部の先端部に形成された係合部とによりに構成された一対の係止固定部とを備え，
上記各係止固定部は，上記化粧材を上記下地面に取り付けるとき，該係止固定部が該化粧材に押圧されて内方に弾性的に変位した後，該係止固定部が弾性復帰する際に，上記係合部が対応する上記係合面に係合当接して該係合面を基板部側方向外向きに押圧するように形成されていることを特徴とする化粧材取付具。
・・・
【請求項３】  上記基板部に，上記化粧材の裏面側に設けられた突起部を挟持固定する挟持部が突設されていることを特徴とする請求項１又は２に記載の化粧材取付具。」
　(2b)「【００１５】
【発明の実施の形態】以下，本発明の実施形態を図面に基づいて詳細に説明する。
（実施形態１）図１は，本発明の実施形態１に係る外装化粧材取付具１０を示す。この外装化粧材取付具１０は，厚さ０．３〜０．５ｍｍの金属製（バネ鋼ＳＵＰ３，ステンレス等）の平板を加工したものであり，長方形の基板部１１と，基板部１１のほぼ四隅の外装化粧材取付側にそれぞれ立設された係止固定部１２，１２，…と，基板部１１の長手方向中央を挟んで対向するように立設された案内部１３及び一対の押圧部１４，１４と，基板部１１の幅方向に並んだ２つの係止固定部１２，１２の間に設けられた固定具挿通孔１５，１５とを備えている。
【００１６】各係止固定部１２は，基板部１１から縦長の長方形に切り出された舌片により形成されており，外方に若干屈曲して断面「く」の字状に形成された支持部１２ａと，支持部１２ａの先端部から折り返されて基板部１１側斜め外方に延びる脚部１２ｂと，脚部の先端部に形成された係合部１２ｃとからなる。従って，基板部１１の幅方向に並ぶ一対の係止固定部１２の脚部１２ｂは同じ向きに延び，基板部１１の長手方向に並ぶ一対の係止固定部１２，１２の脚部１２ｂは相互に反対向きに延びるように構成されており，この基板部１１の長手方向に並んで対をなす係止固定部１２，１２により外装化粧材が係止固定されることとなる。なお，本実施形態では，このように基板部１１の長手方向に並んで対をなす係止固定部１２，１２が２対あるが，これが１対であっても又は３対若しくはそれ以上であってもよい。
【００１７】案内部１３は，基板部１１から横長の長方形に切り出された舌辺により形成されており，先端部が外方に若干屈曲されており，外装化粧材に設けられた突起部の嵌め入れが容易となるようになっている。
【００１８】各押圧部１４もまた，基板部１１から縦長の長方形に切り出された舌片により形成されており，案内部１３側に若干屈曲し，さらに逆方向に屈曲して先端部が断面「く」の字状に形成されており，案内部１３側に突出した屈曲部が外装化粧材に設けられた突起部に係合すると共に押圧するようになっている。すなわち，案内部１３及び押圧部１４，１４は，外装化粧材に設けられた突起部を挟持固定する挟持部を構成するようになっている。」
　(2c)「【００２１】そして，外装化粧材取付具１０を，固定具挿通孔１５，１５に釘７０，７０等を通し，下地壁３０に打ち付けて装着し，それに外装化粧材２０を被せるようにして取り付ける。このとき，突起部下面２５ａを案内部１３に沿わせるようにして外装化粧材２０を下地壁３０側に導いて押し込むと，突起部２５が案内部１３と押圧部１４，１４とにより挟持され，外装化粧材２０が外装化粧材取付具１０に仮止めされた状態となる。また，各係止固定部１２が外装化粧材２０に押圧されて内方に弾性変位することとなる。そして，外装化粧材２０をさらに下地壁３０側に押し込むと，基板部１１が外装化粧材２０の裏面を当接支持すると共に各係止固定部１２が弾性復帰し，各係合部１２ｃは対応する係合面２６に係合当接して係合面２６を基板部側方向外向きに押圧することとなる。それに加えて，押圧部１４，１４は傾斜面に形成された突起部上面２５ｂに係合して案内部１３との間で突起部２５を挟持固定することとなる。なお，外装化粧材２０裏面及び基板部１１の当接部に接着剤又は粘着シートを介在させ，外装化粧材２０の外装化粧材取付具１０への固定状態を更に強固なものとなるようにしてもよい。」
　(2d)「【００２４】さらに，案内部１３と押圧部１４，１４とで外装化粧材２０の裏面側に設けられた突起部２５を挟持する挟持部を構成しているので，外装化粧材２０の取付固定がより強固なものとなるのに加えて，外装化粧材２０の取付の際，係止固定部１２が係合面２６に係合当接するまでの間，突起部２５が挟持部によって挟持され，外装化粧材２０の位置決めがなされると共に，外装化粧材取付具１０に仮止めされることとなり，外装化粧材取付の作業性が良好なものとなる。」
　上記記載事項(2a)〜(2d)及び図面の記載からみて，刊行物２には，以下の発明が記載されているものと認められる。
　
  「下地面３０に上面及び下面を備えた突起部２５を有する化粧材２０を取り付けるための化粧材取付具１０であって，化粧材取付具１０は基板部１１が化粧材２０の裏面を当接支持する位置にまで押し込まれた取り付け状態において取付具１０と化粧材とを係合する係止固定部１２の他に，突起部２５の上面，下面を押圧挟持して化粧材２０を化粧材取付具１０に仮止めする挟持部であって，基板部１１から切り出された舌片として形成された案内部１３及び基板部１１から切り出された舌片として形成され先端部が断面「く」字に形成された押圧部１４よりなる挟持部を有し，
　化粧材２０を下地壁３０側に押し込むと，突起部２５が案内部１３と押圧部１４，１４とにより挟持され，化粧材２０が化粧材取付具１０に仮止めされた状態となり，さらに外装化粧材２０を下地壁３０側に押し込むと，係止固定部１２の係合部１２ｃが対応する係合面２６に係合当接して係合面２６を押圧して固定する，取付具。」（以下，「刊行物２記載の発明」という。）
　
３．対比・判断
　本願発明と刊行物１記載の発明とを対比すると，刊行物１記載の発明の「支持材２３」は本願発明の「支持材」に相当し，以下同様に，「それぞれ上方及び下方を向いた２つの側壁面２１ａ，２２ａ」は，「互いに反対向きの２つの係合面」に，「突起状の部分」は「挿入部」に，「パネル状材２」は「被取付具」に，「取付具１」は「取付具」に，「取付具本体部３」は「取付具本体部」に，相当する。
　刊行物１記載の発明の「上側立ち上がり部９及び下側立ち上がり部１１」は，弾性係合部４の相対向する部材であるから，本願発明の「挟み片」に相当する。
　刊行物１記載の発明の「係合片１４，１５」は，挟み片（上側立ち上がり部９及び下側立ち上がり部１１）に設けられ，支持材に近づくにつれ他方の挟み片側へ近づくように傾斜した片であるから，本願発明の「係合片」に相当する。
　また，刊行物１記載の発明と，本願発明とは，「支持材に取付具本体部が取り付けられた後，被取付物の挿入部が支持材側に向かって所定以上深く押し込まれると係合片が挿入部に押されて弾性変形し，係合片の先端部が係合面に押圧されるようになっている」という点で共通する。
　
　よって，両者は，
　「支持材へ取り付けられた状態ではそれぞれ支持材に対し大略垂直方向をなすこととなる互いに反対向きの２つの係合面を備えた挿入部を有する被取付物を前記支持材に取り付けるための取付具であって，
　支持材に取り付けられる取付具本体部と，この取付具本体部から立ち上げられた１対の弾性を有する挟み片と，挟み片に設けられている，支持材から遠い側となる側から支持材に近い側となる側かつ他方の前記挟み片側へ斜め方向に突出する弾性を有する係合片とを有し，
　支持材に取付具本体部が取り付けられた後，被取付物の挿入部が支持材側に向かって所定以上深く押し込まれると，係合片が挿入部に押されて弾性変形し，係合片の先端部が前記係合面に押圧されるようになっている取付具。」の点で一致し，以下の相違点を有する。
　
　相違点
　本願発明は，挟み片の係合片より支持体側に，各挟み片が自由な状態では２つの係合面間の距離より狭い距離で互いに対向される仮止め部が設けられており，被取付物の挿入部が取付具の挟み片の仮止め部間まで挿入されると，係合面に前記仮止め部が押圧されて前記仮止め部間に前記挿入部が弾性的に挾持されている状態となり，係合片による押圧状態は，仮止め状態からさらに挿入部が所定以上深く押し込まれた際に生じるのに対し，刊行物１記載の発明には，このような仮止め部がなく，当然，仮止め部と係合片との位置関係が記載されておらず，また，仮止め部によって生じる機能を有していない点。
　
　上記相違点について検討する。
　刊行物２記載の発明には，支持材（下地壁３０）へ取り付けられる取付具（取付具１０）に被取付物（化粧材２０）を取り付ける取付作業を容易にするために，本設取付位置で係合する係止固定部の他に，被取付物が本設取付位置に至る位置より前で被取付物を支持材に仮止めする技術が開示され，具体的には，仮止めのために，被取付物の裏面に設けられた突起部２５の突起部下面２５ａ及び突起部上面２５ｂを，取付具の基板部１１から切り出された舌片からなる弾性片（案内部１３及び押圧部１４）で形成した挟持部によって挟持することが示されている。
　刊行物１，２に開示されるような建物用のパネル体等の被取付物の垂直壁面ないし天井面等への取り付けに際し，作業員が被取付物を支持する労力の軽減や位置調整作業等のために被取付物を仮止めをすることは，刊行物２にも記載のように周知の事項であり，刊行物１記載の発明において，取付けの作業性を向上すべく，刊行物２記載の，本設取付位置に至る位置より前で被取付物を支持材に仮止めする技術を採用することは，当業者が容易に想到し得ることである。
　そして，刊行物１記載の発明は，刊行物２の突起部と同様の「被取付物の裏面に設けられた２つの係合面を備えた」挿入部と，それを挟持可能な位置に設けられた一対の弾性を有する挟み片（上側立ち上がり部９及び下側立ち上がり部１１）を必然的に有するものであるから，刊行物１記載の発明に刊行物２記載の上記技術を採用しようとする当業者にとって，仮止めに刊行物１記載の挿入部と挟み片とを利用し，「挟み片」に刊行物２同様の挟持部を設けることは容易に想到し得ることである。
　その際に，仮止め部を「各挟み片が自由な状態では，２つの係合面間の距離より狭い距離で互いに対向される」ものとすることは，挟み片の被取付物の挿入部を弾性係止するという作用を考えれば，自明である。また，仮止め部と係合片の配置を「仮止め部より前記支持材側となる部分に係合片を設ける」ものとすることも，仮止め部が本設取付位置以前で仮止めするものであることを考慮すれば，自明である。
　
　以上のように，刊行物１記載の発明において，刊行物２記載の被取付物が本設取付位置に至る位置より前で被取付物を支持材に仮止めする技術を採用し，挟み片に，挟み片が自由な状態では，２つの係合面間の距離より狭い距離で互いに対向される仮止め部を，係合片が仮止め部よりも支持体側となる位置へ設け，被取付物の挿入部が取付具の挟み片の仮止め部間まで挿入されると，係合面に仮止め部が押圧されて仮止め部間に挿入部が弾性的に挾持されている状態となり，さらに挿入部が支持材側に向かって所定以上深く押し込まれると，係合片が挿入部に押されて弾性変形し，係合片の先端部が前記係合面に押圧されるようにして，本願発明を構成することは，当業者が容易になし得ることである。
　
　そして，本願発明の効果は，刊行物１及び２記載の発明から当業者が予測し得る程度のものである。
　
　出願人は，本願発明と刊行物２記載の発明とを対比して，本願発明の「仮止め」と刊行物２記載の発明の「仮止め」とは，その目的が異なっている旨主張する。
　
　しかし，刊行物１記載の支持具に，作業員が被取付物を支持する労力の軽減を目的として刊行物２記載の発明を適用しても，本願発明の取付具が構成されるものであり，また，挟み片で突起部を係合して仮止めした状態で，被取付物を左右に移動できることは，刊行物１，２記載の発明から予測し得ることであるから，本願発明が仮止め部を設ける目的が，本止めを行う前に必要な横方向の取り付け位置の調整のためであり，刊行物２記載の仮止めの目的と相違するとしても，それを理由として進歩性を認めることはできない。
　
４．むすび
　したがって，本願発明は，刊行物１及び２記載の発明から当業者が容易に発明をすることができたものであるから，特許法第２９条第２項の規定により特許を受けることができないものであり，本願の他の請求項について検討するまでもなく，本願は拒絶をすべきものである。
　
　よって，結論のとおり審決する。